(57)【要約】エレクトロクロミック表示装置は、２つの電極（Ｅ１、Ｅ２）間に少なくとも第１エレクトロクロミック材料（ＥＬ１）と第２エレクトロクロミック材料（ＥＬ２）とを有するエレクトロクロミック画素（１０）を有する。各々のエレクトロクロミック材料（ＥＬ１、ＥＬ２）は２つの安定な状態を有し、エレクトロクロミック画素（１０）に印加される第１電圧の１つの状態とレクトロクロミック画素（１０）に印加される第２電圧の他の状態において、それらの材料は光を吸収し、それ故、着色される。材料は、適切な第１電圧又は第２電圧を印加することにより１つの状態から他の状態に変化する。色の吸収の変化量は適切な電圧が印加される時間に依存する。第１エレクトロクロミック材料（ＥＬ１）は、エレクトロクロミック画素に印加される画素電圧（ＶＰ）が第１値（Ｖ１）であるとき、少なくとも第１色の一部を吸収するために透明状態から色吸収状態に変化する。第１エレクトロクロミック材料（ＥＬ１）は、画素電圧（ＶＰ）が第１値（Ｖ１）と反対の極性を有する第２値（Ｖ２）を有するとき、色吸収状態から透明状態に変化する。第２エレクトロクロミック材料（ＥＬ２）は、画素電圧（ＶＰ）が第１値（Ｖ１）の絶対値より小さい絶対値を有する第３値（Ｖ３）を有するとき、第１色と異なる第２色を少なくとも部分的に吸収するために透明状態から色吸収状態に変化する。第２エレクトロクロミック材料（ＥＬ２）は、画素電圧（ＶＰ）が第３値（Ｖ３）と反対の極性を有する第４電圧（Ｖ４）を有するとき、色吸収状態から透明状態に変化する。第４値（Ｖ４）の絶対値は第２値（Ｖ２）の絶対値より小さい。
2005534078.tif 000002
【特許請求の範囲】
【請求項１】
エレクトロクロミック表示装置であって：
２つの電極間に少なくとも第１エレクトロクロミック材料と第２エレクトロクロミック材料とを有するエレクトロクロミック画素；
前記エレクトロクロミック画素に印加される画素電圧が第１値を有するとき、第１色を少なくとも部分的に吸収するために透明状態から色吸収状態に変わる第１エレクトロクロミック材料であって、前記画素電圧が前記第１値と反対の極性を有する第２値を有するとき、前記色吸収状態から前記透明状態に変わる、第１エレクトロクロミック材料；及び
前記画素電圧が前記第１値の絶対値より小さい絶対値を有する第３値を有するとき、前記第１色と異なる第２色を少なくとも部分的に吸収するために透明状態から色吸収状態に変わる第２エレクトロクロミック材料であって、前記画素電圧が前記第３値と反対の極性を有する第４値を有するとき、前記色吸収状態から前記透明状態に変わり、前記第４値の絶対値は前記第２値の絶対値より小さい、第２エレクトロクロミック材料；
を有することを特徴とするエレクトロクロミック表示装置。
【請求項２】
請求項１に記載のエレクトロクロミック表示装置であって、前記第１エレクトロクロミック材料と前記第２エレクトロクロミック材料は２つの別個の層である、ことを特徴とするエレクトロクロミック表示装置。
【請求項３】
請求項１に記載のエレクトロクロミック表示装置であって、前記第１エレクトロクロミック材料と前記第２エレクトロクロミック材料は１つの層混合の状態に混合されている、ことを特徴とするエレクトロクロミック表示装置。
【請求項４】
請求項２又は３に記載のエレクトロクロミック表示装置であって、電極の１つは前記の１つの層混合により覆われているナノ多孔性表面を有する、ことを特徴とするエレクトロクロミック表示装置。
【請求項５】
請求項１に記載のエレクトロクロミック表示装置であって、前記エレクトロクロミック画素は、前記第１色及び前記第２色と異なる第３色をフィルタリングするためのカラーフィルタを有する、ことを特徴とするエレクトロクロミック表示装置。
【請求項６】
請求項１に記載のエレクトロクロミック表示装置であって、前記エレクトロクロミック画素は、前記画素電圧が前記第３値の絶対値より小さい絶対値を有する第４値を有するとき、第１色及び第２色と異なる第３色を少なくとも部分的に吸収するために透明状態から色吸収状態に変わる第３エレクトロクロミック材料を有し、前記第３エレクトロクロミック材料は、前記画素電圧が前記第３値と反対の極性を有する第６値を有するとき、前記色吸収状態から前記透明状態に変わり、前期第６値の絶対値は前記第４値の絶対値より小さい、ことを特徴とするエレクトロクロミック表示装置。  
【請求項７】
請求項６に記載のエレクトロクロミック表示装置であって、色吸収状態における前記第１、第２及び第３エレクトロクロミック材料はそれぞれ、シアン、マゼンタ及びイエローに見える、ことを特徴とするエレクトロクロミック表示装置。
【請求項８】
請求項１に記載のエレクトロクロミック表示装置のエレクトロクロミック画素を駆動するための駆動回路であって：
（ｉ）前記画素電圧は、前記第１エレクトロクロミック材料及び前記第２エレクトロクロミック材料の両方の透明状態に変えるための絶対値及び極性を有し；
（ｉｉ）前記画素電圧は、前記第１エレクトロクロミック材料及び前記第２エレクトロクロミック材料の両方の色吸収状態に変えるための絶対値及び極性を有し、前記第１エレクトロクロミック材料の所望の吸収量を得るために必要とされる時間だけ印加され；
（ｉｉｉ）前記画素電圧は、前記第２エレクトロクロミック材料の透明状態に変えるための絶対値及び極性を有する一方、前記第１エレクトロクロミック材料は影響を受けず；
（ｉｖ）前記画素電圧は、前記色吸収状態に前記第２エレクトロクロミック材料の前記透明状態を変える一方、前記第１エレクトロクロミック材料は影響を受けないための絶対値及び極性を有し、前記第２エレクトロクロミック材料の所望の吸収量を得るために必要とされる時間だけ印加される；
ように、前記エレクトロクロミック画素に画素電圧を連続的に印加するための手段を有することを特徴とする駆動回路。
【請求項９】
請求項１に記載のエレクトロクロミック表示装置のエレクトロクロミック画素を駆動するための駆動回路であって：
（ｉ）前記画素電圧は、前記第１エレクトロクロミック材料及び前記第２エレクトロクロミック材料の両方の色吸収状態に変えるための絶対値及び極性を有し；
（ｉｉ）前記画素電圧は、前記第１エレクトロクロミック材料及び前記第２エレクトロクロミック材料の両方の透明状態に色吸収状態を変えるための絶対値及び極性を有し、前記第１エレクトロクロミック材料の所望の吸収量を得るために必要とされる時間だけ印加され；
（ｉｉｉ）前記画素電圧は、前記第２エレクトロクロミック材料の色吸収状態に変えるための絶対値及び極性を有する一方、前記第１エレクトロクロミック材料は影響を受けず；
（ｉｖ）前記画素電圧は、前記透明状態に前記第２エレクトロクロミック材料の前記色吸収状態を変える一方、前記第１エレクトロクロミック材料は影響を受けないための絶対値及び極性を有し、前記第２エレクトロクロミック材料の所望の吸収量を得るために必要とされる時間だけ印加される；
ように、前記エレクトロクロミック画素に画素電圧を連続的に印加するための手段を有することを特徴とする駆動回路。
【請求項１０】
請求項１に記載のエレクトロクロミック表示装置のエレクトロクロミック画素を駆動するための駆動回路であって：
前記第１エレクトロクロミック材料の現在の吸収量を表示される連続的情報に対して必要とされる必要な吸収量と比較するための比較器；並びに
前記の必要な吸収量が前記の現在の吸収量より小さいとき、第１エレクトロクロミック材料及び第２エレクトロクロミック材料の両方の前記透明状態に変えるための絶対値及び極性を有する前記エレクトロクロミック画素に画素電圧を印加するための、又は、前記の必要な吸収量が前記の現在の吸収量より大きいとき、第１エレクトロクロミック材料及び第２エレクトロクロミック材料の両方の前記色吸収状態に変えるための絶対値及び極性を有する前記エレクトロクロミック画素に画素電圧を印加するための、手段；
を有する駆動回路であり、
前記比較器は、前記第２エレクトロクロミック材料の現在の吸収量を表示される連続的情報のために必要とされる必要な吸収量と比べるために適合され；
前記手段は、前記の必要な吸収量が前記の現在の吸収量より小さいとき、前記第１エレクトロクロミック材料は影響を受けない一方、前記第２エレクトロクロミック材料の前記透明状態に変えるための絶対値及び極性を有する前記エレクトロクロミック画素に画素電圧を印加し、又は、前記の必要な吸収量が前記の現在の吸収量より大きいとき、前記第２エレクトロクロミック材料の前記色吸収状態に変えるための絶対値及び極性を有する前記エレクトロクロミック画素に画素電圧を印加するために適合された前記画素電圧を印加する；
ことを特徴とする駆動回路。
【請求項１１】
請求項１に記載のカラーエレクトロクロミック表示装置と請求項８乃至１０のいずれ一項に記載の駆動回路とを有することを特徴とする表示装置。
【請求項１２】
請求項１に記載のエレクトロクロミック表示装置のエレクトロクロミック画素を駆動するための方法であって、前記エレクトロクロミック画素に画素電圧を連続的に印加する段階を有する方法であり、前記段階は：
（ｉ）前記画素電圧は、前記第１エレクトロクロミック材料及び前記第２エレクトロクロミック材料の両方の透明状態を得るための絶対値及び極性を有し；
（ｉｉ）前記画素電圧は、前記第１エレクトロクロミック材料及び前記第２エレクトロクロミック材料の両方の色吸収状態に変えるための絶対値及び極性を有し、前記第１エレクトロクロミック材料の所望の吸収量を得るために必要とされる時間だけ印加され；
（ｉｉｉ）前記画素電圧は、前記第２エレクトロクロミック材料の透明状態を得るための絶対値及び極性を有する一方、前記第１エレクトロクロミック材料は影響を受けず；
（ｉｖ）前記画素電圧は、前記色吸収状態に前記第２エレクトロクロミック材料の前記透明状態を変える一方、前記第１エレクトロクロミック材料は影響を受けないための絶対値及び極性を有し、前記第２エレクトロクロミック材料の所望の吸収量を得るために必要とされる時間だけ印加される；
ようにすることを特徴とする方法。
【請求項１３】
請求項１に記載のエレクトロクロミック表示装置のエレクトロクロミック画素を駆動するための方法であって、前記エレクトロクロミック画素に画素電圧を連続的に印加する段階を有する方法であり、前記段階は：
（ｉ）前記画素電圧は、前記第１エレクトロクロミック材料及び前記第２エレクトロクロミック材料の両方の色吸収状態を得るための絶対値及び極性を有し；
（ｉｉ）前記画素電圧は、前記第１エレクトロクロミック材料及び前記第２エレクトロクロミック材料の両方の透明状態に色吸収状態を変えるための絶対値及び極性を有し、前記第１エレクトロクロミック材料の所望の吸収量を得るために必要とされる時間だけ印加され；
（ｉｉｉ）前記画素電圧は、前記第２エレクトロクロミック材料の色吸収状態を得るための絶対値及び極性を有する一方、前記第１エレクトロクロミック材料は影響を受けず；
（ｉｖ）前記画素電圧は、前記透明状態に前記第２エレクトロクロミック材料の前記色吸収状態を変える一方、前記第１エレクトロクロミック材料は影響を受けないための絶対値及び極性を有し、前記第２エレクトロクロミック材料の所望の吸収量を得るために必要とされる時間だけ印加される；
ようにすることを特徴とする方法。
【請求項１４】
請求項１に記載のエレクトロクロミック表示装置のエレクトロクロミック画素を駆動するための方法であって：
前記第１エレクトロクロミック材料の現在の吸収量を表示される連続的情報に対して必要とされる必要な吸収量と比較する段階；並びに
前記の必要な吸収量が前記の現在の吸収量より小さいとき、第１エレクトロクロミック材料及び第２エレクトロクロミック材料の両方の前記透明状態に変えるための絶対値及び極性を有する前記エレクトロクロミック画素に画素電圧を印加し、又は、前記の必要な吸収量が前記の現在の吸収量より大きいとき、第１エレクトロクロミック材料及び第２エレクトロクロミック材料の両方の前記色吸収状態に変えるための絶対値及び極性を有する前記エレクトロクロミック画素に画素電圧を印加する、段階；
を有する駆動回路であり、
前記第２エレクトロクロミック材料の現在の吸収量を表示される連続的情報のために必要とされる必要な吸収量と比べ；
前記の必要な吸収量が前記の現在の吸収量より小さいとき、前記第１エレクトロクロミック材料は影響を受けない一方、前記第２エレクトロクロミック材料の前記透明状態に変えるための絶対値及び極性を有する前記エレクトロクロミック画素に画素電圧を印加し、又は、前記の必要な吸収量が前記の現在の吸収量より大きいとき、前記第２エレクトロクロミック材料の前記色吸収状態に変えるための絶対値及び極性を有する前記エレクトロクロミック画素に画素電圧を印加するために適合された前記画素電圧を印加する；
ことを特徴とする方法。
【発明の詳細な説明】
【技術分野】
【０００１】
本発明は、エレクトロクロミック表示装置、エレクトロクロミック表示装置のエレクトロクロミック画素、エレクトロクロミック表示装置と駆動回路とから構成された表示装置及びエレクトロクロミック表示装置のエレクトロクロミック画素を駆動する方法に関する。
【背景技術】
【０００２】
米国特許第４，３０４，４６５号明細書は、表示電極上に高分子フィルムを有するエレクトロクロミック表示装置について開示している。書き込み段階において、表示電極上の高分子フィルムは着色された不透明状態に酸化される。消去段階においては、高分子フィルムは中立の透明状態に還元される。周知のエレクトロクロミック表示装置は複数色のピクチャを表すことができない。
【発明の開示】
【発明が解決しようとする課題】
【０００３】
本発明の目的は、複数色のピクチャを生成することができるエレクトロクロミック表示装置を提供することである。
【課題を解決するための手段】
【０００４】
本発明の第１特徴は、請求項１に記載されているエレクトロクロミック表示装置を提供することである。本発明の第２特徴は、請求項８乃至１０に記載されているエレクトロクロミック表示装置のエレクトロクロミック画素を駆動するための駆動回路を提供することである。本発明の第３特徴は、請求項１１に記載されている、エレクトロクロミック表示装置と駆動回路とから構成された表示装置を提供することである。本発明の第４特徴は、請求項１２乃至１４に記載されたエレクトロクロミック表示装置のエレクトロクロミック画素を駆動する方法を提供することである。
【０００５】
エレクトロクロミック表示装置は、２つの電極間の少なくとも第１エレクトロクロミック材料と第２エレクトロクロミック材料とを有するエレクトロクロミック画素を有する。エレクトロクロミック材料の光学的状態は画素に印加される電圧に依存する。エレクトロクロミック画素に印加された第１電圧においては、その材料は透明であり、エレクトロクロミック画素に印加された第１電圧においては、その材料は色を吸収し、それ故、着色された状態に見える。その材料は、第１電圧又は第２電圧の適切な一方を印加されることにより１つの状態から他の状態に変化する。色の吸収の変化量は、適切な電圧が印加される時間に依存する。
【０００６】
第１エレクトロクロミック材料は、エレクトロクロミック画素に印加される画素電圧が第１値を有する場合、透明状態から少なくとも第１色を吸収する色吸収状態に変化する。第１エレクトロクロミック材料は、画素電圧が第１値に対して反対の極性を有する第２値を有する場合、色吸収状態から透明状態に変化する。
【０００７】
第２エレクトロクロミック材料は、画素電圧が第１値の絶対値より小さい絶対値を有する第３値を有する場合、透明状態から第１色と異なる第２色を少なくとも部分的に吸収する色吸収状態に変化する。第２エレクトロクロミック材料は、画素電圧が第３値に対して反対の極性を有する第４値を有する場合、色吸収状態から透明状態に変化する。第４値の絶対値は第２値の絶対値より小さい。
【０００８】
そのような単色のエレクトロクロミック現象が用いられる場合、エレクトロクロミック層に注入される電荷量を制限することにより着色の度合いを制御することにより階調が得られる。基本的に、異なる色を有するエレクトロクロミック層をもつ少なくとも２つのそのようなエレクトロクロミックパネルを重ね合わせることにより複数色表示を生成することが可能である。フルカラー表示は、異なる色（好適には、ＣＭＹであって、Ｃはシアン、Ｍはマゼンタ及びＹはイエロー）をもつ３つのエレクトロクロミックパネルを用いることにより得られる。しかしながら、これは、３つのパネルが互いに重ね合わされることが必要であり、視差の問題をもたらし、表示装置の価格を著しく高くする。各々のパネルは少なくともパネルの基板、エレクトロクロミック材料を伴う作用電極、カウンタリアクション能力をもつ対電極及び基板から構成される。それ故、各々のパネルは、画素電極を駆動する基板の１つにおけるそれら自体の駆動エレクトロニクスを有し、このことは複雑さを非常に増し、表示の輝度を減少させ、コストを増加させる。
【０００９】
本発明に従った表示装置においては、エレクトロクロミック材料は、状態を変化させるために異なる電圧値を必要とする。このことは電極のみの単一の集合をもつ画素を駆動することを可能にする一方、異なるエレクトロクロミック材料の吸収量を個別に制御することも可能である。
【００１０】
そのようなカラーエレクトロクロミック表示装置は、例えば、スクリーン印刷、インクジェット印刷又はコーティング技術を用いることにより、エレクトロクロミック現象の層を容易に適用することができるため、製造が容易である。
【００１１】
請求項２に記載の実施形態においては、第１エレクトロクロミック材料と第２エレクトロクロミック材料とが２つの個別の層の状態で存在する。それらの層は電極間に互いに重なり合わされている。
【００１２】
請求項３に記載の実施形態においては、第１エレクトロクロミック材料と第２エレクトロクロミック材料とは１つの層混合として実施されている。この方法の有利点は応答の均一性を改善することである。
【００１３】
請求項４に記載の実施形態においては、１つの層混合は電極の１つのナノ多孔質領域において吸収される。電極は、ナノ多孔質導電材料であって、例えば、ナノ構造化された二酸化チタンから成る。ナノ構造化層はＩＴＯ又はＦＴＯ電極を覆うことが可能である。これは、エレクトロクロミックスイッチングにおける変化補償のための対イオンの非常に改善された拡散と同時の電極への及び電極からの改善された電子移動とを達成し、その結果、装置の応答時間の改善がもたらされる。そのようなナノ多孔質電極の単層被覆にも拘らず、ナノ多孔質電極の非常に大きい表面積のために、着色状態における十分な光学濃度が尚も保証される。
【００１４】
請求項５に記載の実施形態においては、２つの異なる色に対応する２つの異なるエレクトロクロミック材料のみが画素において存在する一方、カラーフィルタが第３色のために備えられる。このことは、より大きい電圧を印加することにより又損傷（ショート）を受けないブリーチング（ｂｌｅａｃｈｉｎｇ）電圧（材料を透明状態に変化させるために必要な電圧）と異なる着色電圧（材料を色吸収状態に変化させるために必要な電圧）とをもつ３つのエレクトロクロミック材料を特定することが必要であることを回避する。
【００１５】
例えば、２つの異なるエレクトロクロミック材料の各々が別個の層に備えられる。所定の画素においては、エレクトロクロミック材料の１つは赤色を吸収する（即ち、シアンに見える）ことができ、他のエレクトロクロミック材料は緑色を吸収する（即ち、マゼンタに見える）ことができ、カラーフィルタは青色を吸収する（即ち、イエローに見える）。フルカラーマトリクス表示が、異なる画素の色の組み合わせを変えることにより得られる。例えば、所定の画素に隣接する画素において、エレクトロクロミック材料の１つが赤色を吸収し（即ち、シアンに見え）、他のエレクトロクロミック材料は青色を吸収し（即ち、イエローに見え）、カラーフィルタは緑色を吸収する（即ち、マゼンタに見える）。
【００１６】
請求項８乃至１０のいずれ一項に記載された本発明の他の特徴においては、駆動回路は、２つのエレクトロクロミック材料の各々の１つの吸収量を個別に設定することが可能である順序で、画素に画素電圧を印加する。請求項８に記載の本発明に従った実施形態においては、第１の全てのエレクトロクロミック材料は消色され（透明状態にされ）、次いで、エレクトロクロミック材料全ての吸収を変化させることができる電圧が印加される。この電圧は、透明状態から吸収状態に変化させる最大電圧を必要とするエレクトロクロミック材料の好ましい着色料を得るために必要とされる時間だけ、印加される。次いで、他のエレクトロクロミック材料を消色することができるように電圧を印加するが、最大電圧を必要とするエレクトロクロミック材料は影響を受けない。最終的には、他のエレクトロクロミック材料の吸収を変化させることができるように電圧を印加するが、最大電圧を必要とするエレクトロクロミック材料は影響を受けない。この電圧は、他のエレクトロクロミック材料の好ましい着色量を得るために必要とされる時間だけ、印加される。
【００１７】
請求項９に記載の本発明に従った実施形態においては、第１の全てのエレクトロクロミック材料は着色され、次いで、エレクトロクロミク材料全ての吸収を統計状態に変化させることができる電圧が印加される。
【００１８】
請求項１０に記載の本発明の他の特徴においては、駆動回路は、２つのエレクトロクロミック材料の各々の１つの吸収量を個別に設定することを可能にする順序で画素に画素電圧を印加する。画素は、表示される連続した情報の色と既存の上方の色における差に基づいて駆動される。先ず、その差が、状態を変化させるための最大電圧を必要とする第１エレクトロクロミック材料の現在の着色量と必要とされる将来の着色料との間で、検出される。正しい方向に第１エレクトロクロミック材料の着色を変化させるために、直接、画素に適切な電圧が印加される。第２エレクトロクロミック材料の着色は、第１エレクトロクロミック材料の着色と共に変化する。結果として得られる第２エレクトロクロミック材料の着色は必要な着色と比較され、正しい方向に第２エレクトロクロミック材料の着色を変化させるために、直接、電圧が画素に印加される。この駆動方法はスイッチング（アドレッシング）速度を増加させ、電力損失及び劣化を減少させる。
【００１９】
請求項８に記載の一連の駆動方法は、正確な総吸収量を有し、正確な色に到達するように画素を書き込むために、多くの段階が実施される必要があるという欠点を有する。更に、最終的に着色される（又は、請求項９に記載のように、逆に、先ず、消色及び次いで、着色される）前に、幾つかの材料が連続的に着色され、消色されることは、請求項１０に記載の駆動スキームにおいて必要とされるより大きい変化が起こる原因となる。これは電力損失を増加させ、より大きい電荷が流れる場合、劣化がより早く起こるように表示の寿命を減少させる。
【００２０】
本発明の以上の及び他の特徴については、以下に説明する実施形態から明確になり、それらに関して理解されるであろう。
【発明を実施するための最良の形態】
【００２１】
図１は、エレクトロクロミック表示装置とその駆動回路のブロック図を示している。エレクトロクトミック表示装置１は、列方向に伸びる列（又は、データ）電極ＣＥと行方向に伸びる行（又は、選択）電極ＲＥの交差部分に関連するエレクトロクロミック画素１０のマトリクスを有する。行ドライバ３は行電極ＲＥに選択電圧を供給し、列ドライバ２は列電極ＣＥにデータ電圧を供給する。データ処理器５は入力映像ＶＩを受信し、制御器４にタイミング情報を、比較器６にデータ信号ＤＡを供給する。タイミング情報ＴＩは映像信号においてフィールドとラインとを表すことが可能である。比較器６は列ドライバ２にデータ信号ＤＡ´を供給する。比較器６は任意であり、比較器６が削除される場合、データ信号ＤＡ´及びＤＡは同等である。制御ク４は第１制御信号ＴＩ１を行ドライバ３に供給し、第２制御信号ＴＩ２を列ドライバ２に供給する。タイミング情報ＴＩと制御信号ＴＩ１及びＴＩ２とは、好ましい駆動スキームに従って、エレクトロクロミオック画総１０に供給される適切な一連の電圧を制御する。
【００２２】
受動マトリクス表示装置に対して、行電極ＲＥと列電極ＣＥの機能及び行ドライバ３と列ドライバ２の機能は、行電極が列方向に延びるように交換されることが可能である。
【００２３】
行ドライバ３は電源電圧ＶＢ１を受け、列ドライバ２は電源電圧ＶＢ２を受ける。
【００２４】
図２は、本発明に従ったエレクトロクロミック画素１０の構造を示している。画素１０は、上方から下方に、透明層ＴＬ、行電極ＲＥの一部である第１電極Ｅ１、第３エレクトロクロミック層ＥＬ３、第２エレクトロクロミック層ＥＬ２、第１エレクトロクロミック層ＥＬ１、列電極ＣＥの一部である第２電極Ｅ２及び基板ＳＵを有する。第１電極Ｅ１と第２電極Ｅ２との間に行ドライバ２及び列ドライバ３により供給されるが素電圧ＶＰは電圧源ＶＰとして示している。更に、画素構造は、着色プロセスを更に支援するために電解質層を更に有する。
【００２５】
実際の実施においては、画素１０は電解質を有する。この電解質はセルにおいて積み重ねられた別個の層として存在することが可能である。電解質は、エレクトロクロミック層又はエレクトロクロミック層の混合と対電極Ｅ１との間に析出される。更に、対電極Ｅ１はレドックス活性であることが可能であり、個別のレドックス活性層は対電極Ｅ１と電解質層との間に存在し、又は両方の組み合わせが存在することが可能である。
【００２６】
図３は１つの画素要素のみを示している。この画素要素の隣には他の画素が存在する。それ故、基板は１つの画素のみに限定されるものではないが、カラーフィルタ層とエレクトロクロミック層とは画素化され、隣接画素から物理的に分離される必要がある。しかしながら、電解質は全体の表示装置に亘って横方向に伸びることが可能である。対電極は１つの共通電極であり、又、画素化されることが可能である。
【００２７】
３つのエレクトロクロミック層ＥＬ１、ＥＬ２及びＥＬ３は、任意の順序で、イエロー、マゼンタ又はシアン着色それぞれを示す材料と対応することが可能である。３つのエレクトロクロミック層ＥＬ１、ＥＬ２及びＥＬ３に代えて、単一層にそれらの材料を混合することが可能である。それ故、用いられる材料は重要な問題であるため、これらの材料が３つの層に亘って分割されるか、若しくは２つに又は単一層に結合されないかは本発明に関係する。従って、材料を表すために符号ＥＬ１、ＥＬ２及びＥＬ３を更に用いる。それらの材料が３つの層に分割される場合、これらの符号は層を又、意味する。３つの層ＥＬ１、ＥＬ２及びＥＬ３はフルカラーの表示を可能にするが、２つの層は、異なる色をもつ情報を生成することができる表示を生成するのに十分である。又、２つの層における異なる材料を単一の層に混合することが可能である。
【００２８】
図３は、エレクトロクロミック表示装置の駆動スキームを理解するための３つの異なるエレクトロクロミック材料の挙動を示している。水平方向の軸はエレクトロクロミック材料に印加される電圧ＶＰを表し、垂直方向の軸はエレクトロクロミック材料の着色量を表す。
【００２９】
図３は、白色の反射基板ＳＵ上に備えられた３つの個別の層の状態の３つの異なるエレクトロクロミック材料ＥＬ１、ＥＬ２及びＥＬ３を有するフルカラーエレクトロクロミック画素１０に関する。３つのエレクトロクロミック材料ＥＬ１、ＥＬ２及びＥＬ３各々は、十分に透明な状態と、赤色、緑色又は青色の光を吸収する一方、他の２つの色に対して透明である状態との間でスイッチングされる。この遷移に対して必要とされるポテンシャルはエレクトロクロミック材料ＥＬ１、ＥＬ２及びＥＬ３毎に変化する。
【００３０】
図３は水平方向の軸に沿った画素電圧ＶＰを示している。垂直方向においては、異なるエレクトロクロミック材料ＥＬ１、ＥＬ２及びＥＬ３が示されている。斜線を施していない領域は、色の吸収状態が変化しない、各々の色に対する電圧の領域を示し、斜線で示される領域は、吸収状態が変化するようにする電圧を示している。この例において、バーの右側の斜線部分において電圧が印加されるとき、材料は吸収が増加し、左側の斜線部分において電圧が印加されるとき、材料は吸収が減少する。用いられる材料に依存して、これは逆であることが可能である。
【００３１】
電極Ｅ１とＥ２との間に印加される画素電圧ＶＰがＥＬ１により表されるバーの非斜線部分により示されるＶＬ２（負電圧）からＶＬ１までの領域内にある場合、第１材料ＥＬ１は状態を変化させない（又は、状態を非常にゆっくり変化させるのみである）。ＶＬ４より小さい電圧に対するバーＥＬ２の斜線部分は、層ＥＬ２の着色がＶＬ４より小さい電圧に対して減少することを示している。その減少量は、ＶＬ４より小さい電圧が供給される時間に依存する。ＶＬ３より大きい電圧に対するバーの斜線部分は、ＶＬ３より大きい電圧が印加される場合に着色が増加することを示している。その増加量は、ＶＬ３より大きい電圧が供給される時間に依存して、減少する。その結果、電圧Ｖ４がセル１０に印加されるとき、材料ＥＬ１は消色を開始する一方、材料ＥＬ１の状態は実質的に影響を受けない。同様に、電圧Ｖ３がセル１０に印加されるとき、材料ＥＬ２は着色の増加を開始する一方、材料ＥＬ１の状態は実質的に影響を受けない。
【００３２】
第３材料ＥＬ３は、電極Ｅ１とＥ２との間に供給される画素電圧ＶＰがＥＬ３により示されるバーの非斜線部分により示されるＶＬ６からＶＬ５までの領域にある場合、状態を変化させない（又は、状態を非常にゆっくり変化させるのみである）。ＶＬ６より小さい電圧に対してＥＬ３により示されるバーの斜線部分は、ＶＬ６より小さい電圧が印加される場合に層ＥＬ３の着色は減少することを示している。その減少量は、ＶＬ６より小さい電圧が供給される時間に依存する。ＶＬ５より大きい電圧に対するバーの斜線部分は、ＶＬ５より大きい電圧が印加される場合に着色が増加することを示している。その増加量は、ＶＬ５より大きい電圧が供給される時間に依存する。それ故、電圧Ｖ６がセル１０に印加されるとき、材料ＥＬ３は消色を開始する一方、他の材料ＥＬ１及びＥＬ２の状態は実質的に影響を受けない。同様に、電圧Ｖ５がセル１０に印加されるとき、材料ＥＬ３は着色を開始する一方、他の材料ＥＬ１及びＥＬ２の状態は実質的に影響を受けない。
【００３３】
この画素１０においては、材料（又は、３つの層が存在する場合は、層）ＥＬ１、ＥＬ２及びＥＬ３は、続く駆動スキームを用いることにより、いずれの着色レベルが与えられる。
【００３４】
第１に、電圧ＶＬ２より小さい電圧Ｖ２が、全ての層ＥＬ１、ＥＬ２及びＥＬ３を透明にするために十分長い期間の間、画素１０の電極Ｅ１とＥ２との間に供給される。
【００３５】
第２に、電圧ＶＬ１より大きい電圧Ｖ１が電極Ｅ１とＥ２との間に供給される。層ＥＬ１、ＥＬ２及びＥＬ３の全てが着色を開始する。電圧Ｖ１は、第１層ＥＬ１は好ましい吸収値に到達した瞬間的に取り除かれる。
【００３６】
第３に、第２層ＥＬ２と第３層ＥＬ３とが消色するようにする、電圧Ｖ４がＶＬ２とＶＬ４との間に印加される一方、第１層ＥＬ１は影響を受けない。
【００３７】
第４に、ＶＬ３からＶＬ１までの領域内に電圧Ｖ３を印加し、第１層ＥＬ１が影響を受けないまま保たれる一方、第２層ＥＬ２及び第３層ＥＬ３は着色を開始する。電圧Ｖ３は、第２層ＥＬ２が好ましい吸収値に達した瞬間に取り除かれる。
【００３８】
第５段階において、電圧Ｖ６がＶＬ４とＶｌ６との範囲内に印加され、第３層ＥＬ３は消色される一方、第１層ＥＬ１及び第２層ＥＬ２は影響を受けない。第６段階において、ＶＬ５からＶＬ３までの範囲内に電圧Ｖ５が印加され、第１層ＥＬ１及び第２層ＥＬ２は影響を受けないまま保たれる一方、第３層ＥＬ３は着色を開始する。電圧Ｖ５は、第３層ＥＬ３が好ましい吸収値に達した瞬間に取り除かれる。
【００３９】
この時点で、全ての層ＥＬ１、ＥＬ２及びＥＬ３はそれらの好ましい着色量に達し手いる。
【００４０】
消色段階及び着色段階の順序を変更することは可能である。
【００４１】
このような駆動スキームは、フルカラー画像を表示するために、特別に選択されたエレクトロクロミック材料ＥＬ１、ＥＬ２及びＥＬ３を有するエレクトロクロミック表示装置１を駆動することができるが、実行される必要がある多くの段階のために、この一連のアドレッシング方法は、画像を書き込むことにおいて比較的遅い。更に、幾つかの材料ＥＬ１、ＥＬ２及びＥＬ３は、最終的な着色に到達する前に、成功裏に数回消色され及び着色される。それ故、電力損失の増加と材料ＥＬ１、ＥＬ２及びＥＬ３の早い劣化とをもたらす画素１０のアドレッシングにおいて、多くの電荷が移動される。
【００４２】
アドレッシング速度が増加され、電力損失及び劣化が減少されるアドレッシングの方法は、第１段階で、着色量が存在することから開始する材料ＥＬ１、ＥＬ２及びＥＬ３が、画素１０の好ましく新しい着色をもたらすために必要とされるだけの量に消色される又は着色されるように、画素１０を駆動する。
【００４３】
図２に示すような画素１０の構成に適用されるとき、このような駆動スキームは続いて次のような段階を実行する。
【００４４】
第１段階において、現在の第１層ＥＬ１の着色は、比較器６により、一連の新しい画像において必要な着色と比較される。新しい着色が現在の着色量より多い場合、電圧Ｖ１が画素１０に供給される。新しい着色が現在の着色量より少ない場合、電圧Ｖ２が画素１０に供給される。アクティブマトリクス表示装置の画素における付加電気回路構成（例えば、付加ＴＦＴ）が、画素に１つの又は他の電圧の同時印加を実行するために必要とされ得る。全ての層ＥＬ１、ＥＬ２及びＥＬ３は色を変化し始める。電圧Ｖ１又はＶ２は、第１層ＥＬ１がその好ましく新しい吸収値に達した瞬間に取り除かれる。
【００４５】
第２段階において、第２層ＥＬ２の現在の着色は、比較器６により、連続するに新しい画像おいて必要とされる着色と比較される。新しい着色が現在の着色量より多い（Ｖ１又はＶ２の作用を含む）場合、電圧Ｖ３が画素１０に供給される。新しい着色が現在の着色より少ない場合、電圧Ｖ４が画素１０に供給される。層ＥＬ２及びＥＬ３は着色の変更を開始し、第１層ＥＬ１は影響を受けない。電圧Ｖ３又はＶ４は、第２層ＥＬ２がその好ましく新しい吸収値に達した瞬間に取り除かれる。
【００４６】
第３段階及び最終段階において、現在の第３層ＥＬ３の着色は、比較器６により、続く新しい画像において必要とされる着色と比較される。新しい着色が現在の着色量より多い（Ｖ１、Ｖ２、Ｖ３又はＶ４の作用を含む）場合、電圧Ｖ５が画素１０に供給される。新しい着色が現在の着色より少ない場合、電圧Ｖ６が画素１０に供給される。第３層ＥＬ３は着色の変更を開始し、第１層ＥＬ１及び第２層ＥＬ２は影響を受けない。電圧Ｖ５又はＶ６は、第３層ＥＬ３がその好ましく新しい吸収値に達した瞬間に取り除かれる。
【００４７】
このようにして、適用される必要があるのは３つの電圧サイクルのみであり、アドレッシング時間を短縮し電力損失と低減する。一般に、上記の駆動スキームはエレクトロクロミック材料ＥＬ１、ＥＬ２及びＥＬ３を有するいずれのセル１０に適用され、これらの材料が図２に示すような３つの層に存在することは関係ない。それ故、一般に、用語“層”は、“材料”により置き換えられることが可能である。
【００４８】
例として、図３に示している挙動を有する材料について、ここで説明する。テスト画素（エレクトロクロミックセル）において、３００ｎｍの膜厚のＰＥＤＯＴの層が、作用電極Ｅ２として用いられるＩＴＯ／ガラス基板上にスピンコートされる。画素１０は、対電極Ｅ１として用いられる、更なるＩＴＯ／ガラス基板にこの基板を案内することにより構成される。これら２つの電極層Ｅ１及びＥ２間のセル１０ギャップは、Ｋ−ブチロラクトンに０．２モルのＬｉＣＯ４（過塩素酸リチウム）を有する電解質溶液で満たされている。セル１０は、３Ｖの電圧を印加することにより着色され、ＰＥＤＯＴの還元反応によりＰＥＤＯＴ層の即座の青色着色がもたらされる。セル１０は、−１Ｖの電圧の印加においてゆっくり消色を開始する。−０．５乃至２．５Ｖの範囲内の電圧に対して、セルの色は調子を合わせて殆ど変化しない。−１．５Ｖの電圧においては、早い消色が起こり、しばらくして、ＰＥＤＯＴは、その導電状態であって、殆ど透明な状態に酸化される。
【００４９】
上記の駆動スキームは、３つの異なるエレクトロクロミック材料を用いるフルカラー表示に関する。簡単化されたバージョンの状態であって、１周期を省くこれらの駆動スキームは又、２つの異なるエレクトロクロミック材料を用いるカラー表示装置を駆動するために用いられることができる。そのような表示装置は、２つの材料に対応する２つの色を混合することによりもたらされる色のみを表示することができる。
【００５０】
図４は、本発明に従ったエレクトロクロミック画素の構造を示している。この画素１０は上部から下部の方に、カラーフィルタＣＦ、第１電極Ｅ１（参照電極）、第１エレクトロクロミック層ＥＬ１、第２エレクトロクロミック層ＥＬ２、第１エレクトロクロミック層ＥＬ１、第２電極Ｅ２（画素電極）及び基板ＳＵを有する。基板は又、ＴＦＴと他の電子構成要素（図示せず）とを有することが可能である。行ドライバ２及び列ドライバ３により第１電極Ｅ１と第２電極Ｅ２との間に供給される画素電圧ＶＰを電圧源ＶＰとして示している。更に、画素構造は、着色プロセスを更に支援するために電解質層を更に有することが可能である。
【００５１】
２つのエレクトロクロミック層ＥＬ１及びＥＬ２は、イエロー、マゼンタ又はシアン着色それぞれを示す材料を有するいずれの順序に対応することが可能である。２つのエレクトロクロミック層ＥＬ１及びＥＬ２に代えて、単一層の状態に材料を混合することが又、可能である。カラーフィルタＣＦの色は、２つのエレクトロクロミック層ＥＬ１及びＥＬ２の色の相補的な色として選択される必要がある。例えば、エレクトロクロミック層ＥＬ１及びＥＬ２の色がシアンとマゼンタである場合、カラーフィルタＣＦはイエローである。隣接する画素に対して層ＥＬ１及びＥＬ２とカラーフィルタＣＦとの色組み合わせを変えることにより、カラー表示を提供することが可能である。３つの異なるエレクトロクロミック材料の代わりに２つのみＥＬ１及びＥＬ２がアドレスされる必要があるために、消色及び着色のための異なる電圧レベルを有する、更なる材料を選択することができる。
【００５２】
同様に、図２を参照して理解できるように、１つのセルのみが示され、電極は示されていない。
【００５３】
カラーフィルタＣＦは、好適には、エレクトロクロミック材料ＥＬ１及びＥＬ２に対してできるだけ近接されて位置付けられる。
【００５４】
図５は、アクティブマトリクス表示装置におけるエレクトクロミック画素を駆動するための実施形態を示している。
【００５５】
エレクトロクロミック表示装置１はアクティブマトリクス構造を有し、各々の画素１０は、画素１０を駆動するために薄膜トランジスタ（又、ＴＦＴという）を有する。駆動ＴＦＴ  ＴＲ１の主電流経路は、電力ライン電圧ＶＢと画素１０の画素電極Ｅ１との間に配置されている。画素１０の共通電極Ｅ２はアースに接続されている。アドレッシングＴＦＴ  ＴＲ２の主電流経路は、列電極ＣＥと駆動ＴＦＴ  ＴＲ１の制御電極との間に接続されている。アドレッシングＴＦＴ  ＴＲ２の制御電極は選択電極ＲＥに接続されている。
【００５６】
行ＲＥにおける選択電圧は、アドレッシングＴＦＴ  ＴＲ２をアクティブにして導通させることにより、画素１０の行ＲＥにアドレスするために用いられる。列ＣＥからのデータ電圧は、次いで、駆動ＴＦＴ  ＴＲ１の制御電極に渡され、このＴＦＴが導通状態であるか又は非導通状態であるかを決定する。駆動ＴＦＴ  ＴＲ１は、電源電圧ＶＢが存在する電力供給ラインに画素電極Ｅ１を接続する。このデータ電圧は、それ故、画素１０が電源電圧に接続されている（画素が駆動される）か又は非接続にされる（画素が非駆動される）かを決定する。画素回路（例えば、記憶キャパシタＣＳ）におけるメモリ素子は、次のアドレッシング周期、即ち、１フレーム時間後まで、画素１０が駆動されたまま保たれることを確実にする。この時点で、電源電圧ＶＢは、画素１０に電圧Ｖ１乃至Ｖ６の異なる１つを供給するために変化されることができる。
【００５７】
エレクトロクロミック層ＥＬ１、ＥＬ２、ＥＬ３は、次の段階において着色及び消色されることができる。即ち
（ｉ）  電源電圧ＶＢは消色電圧に切り換えられ、全ての画素１０は高電圧でアドレスされ、これにより、全ての画素１０は消色される（既に消色されている画素は、この段階では何も起こらない）。記憶キャパシタＣＳは、駆動ＴＦＴ  ＴＲ１が、保持期間の間、導通状態のまま保たれることを確実にする。
（ｉｉ）  全ての画素１０は低電圧でアドレスされる。これは駆動ＴＦＴ  ＴＲ１をオフにする。電源電圧ＶＢは着色電圧に切り換えられる。
（ｉｉｉ）  着色を必要とする行ＲＥにおいて行選択電圧により選択された行における画素１０は、データ電極ＣＥにおける高いデータ電圧により高電圧にアドレスされる。駆動ＴＦＴ  ＴＲ１は導通状態になり、着色が開始する。記憶キャパシタＣＳは、駆動ＴＦＴ  ＴＲ１が、保持期間の間、導通状態のまま保たれることを確実にする。画素１０が十分着色されたとき、画素１０は、低電圧を用いて画素１０をアドレスすることにより電力ラインから非接続状態にされる。新しい画像が書き込まれたとき、電源電圧ＶＢを低下することができる。
【００５８】
この実施形態において、色の階調（“強度”）は、エレクトロクロミック層ＥＬ１、ＥＬ２、ＥＬ３に渡される電荷の積分量により、それ故、画素電極Ｅ１が電力ラインに接続される時間により規定される。
【００５９】
図６は、アクティブマトリクス表示装置におけるエレクトロクロミック画素を駆動するための他の実施形態を示している。図６においては、更に複雑な画素回路が示され、これにより、エレクトロクロミック層ＥＬ１、ＥＬ２、ＥＬ３を着色及び消色することができる。
【００６０】
画素１０は、アースに接続された共通電極Ｅ２と画素電極Ｅ１とを有する。２つの駆動ＴＦＴ  ＴＲ１２及びＴＲ１３の主電流経路の直列配置は、電源電圧ＶＢ１と電源電圧ＶＢ２との間に配置されている。２つの駆動ＴＦＴ  ＴＲ１２及びＴＲ１３の接点は、画素電極Ｅ１に接続されている。
【００６１】
アドレスＴＦＴ  ＴＲ１０の主電流経路は、列データＣＤ１を受けるための列電極ＣＥ
と駆動ＴＦＴ  ＴＲ１２の制御電極との間に配置されている。アドレスＴＦＴ  ＴＲ１０の制御電極は行選択信号ＲＳ１を受けるために選択電極ＲＥに接続されている。記憶キャパシタＣＨ１は駆動ＴＥＴ  ＴＲ２の制御電極に接続されている。
【００６２】
アドレスＴＦＴ  ＴＲ１１の主電流経路は、列データＣＤ２を受けるための列電極ＣＥと駆動ＴＦＴ  ＴＲ１３の制御電極との間に配置されている。アドレスＴＦＴ  ＴＲ１１の制御電極は、行選択信号ＲＳ２を受けるために選択電極ＲＥに接続されている。記憶キャパシタＣＨ２は駆動ＴＦＴ  ＴＲ１２の制御電極に接続されている。
【００６３】
画素回路の動作については、ここでは、以下において理解されるであろう。電源電圧ＶＢ１及びＶＢ２は、消色電圧及び着色電圧それぞれに設定される。表示装置は２つの電圧を用いてアドレスされる。高電圧は駆動ＴＦＴ  ＴＲ１２、ＴＲ１３が導通状態になるようにし、低電圧は駆動ＴＦＴ  ＴＲ１２、ＴＲ１３の導通状態を停止する。列データＣＤ１は、着色を必要とする画素１０を選択するために用いられ、列データＣＤ２は消色を必要とする画素を選択するために用いられる。着色及び消色を必要とする画素１０は高電圧にアドレスされる。駆動ＴＦＴ  ＴＲ１２、ＴＲ１３は導通状態であって、消色状態又は着色状態になる。記憶キャパシタＣＨ１、ＣＨ２は、駆動ＴＦＴ  ＴＲ１２、ＴＲ１３が、保持期間の間、導通状態に保たれることを確実にする。画素１０が十分着色され又は消色されたとき、画素１０は、低電圧を用いて画素１０にアドレスすることにより電源電圧ＶＢ１、ＶＢ２から非接続にされる。新しい画像が書き込まれたとき、電源電圧ＶＢ１及びＶＢ２は低下される。
【００６４】
画素１０のアドレッシングは、行選択信号ＲＳ１及びＲＳ２と列データＣＤ１及びＣｄ２とにより実行される。
【００６５】
又、この実施形態において、色の階調（“強度”）は、エレクトロクロミック層ＥＬ１、ＥＬ２、ＥＬ３に渡される電荷の積分量により、それ故、画素電極Ｅ１が電源電圧ＶＢ１、ＶＢ２に接続される時間により規定される。一般に、“リセット”は用いられないため、新しい会長に達するように正確な電荷（放電）量を供給する前に、前の画素１０の状態を知ることが必要である。これは単一の処理方法を必要とし、前の階調はフレームメモリに記憶され、新しい階調は前の階調と比較され、必要とされる電荷が（ルックアップテーブル又は分析機能により）決定され、好ましい画素データが画素１０に供給される。
【００６６】
上記の実施形態は本発明を限定するものではなく、当業者は、同時提出の特許請求の範囲における範囲から逸脱することなく、多くの代替の実施形態をデザインすることができることに留意する必要がある。
【００６７】
例えば、本発明の実施形態に従った駆動方法と結合して面内電界を生成する電極を用いることが又、可能である。このようにして、領域が規定された階調を異なる色に対して生成することが可能であり、それにより、又、赤色、緑色又は青色エレクトロクロミック層を組み合わせて使用することが可能である。
【００６８】
表示装置は、例えば、バックライトシステムで装置を照明することにより、透明な設定状態で動作させることができるが、例えば、表示装置の背後に反射器（好ましくは、散乱する）により、反射の設定状態でより用いられる可能性が高い。
【００６９】
表現“を有する”は、請求項にあげた要素又は段階以外の要素又は段階の存在を排除するものではない。本発明は、幾つかの別個の要素を有するハードウェアにより、及び適切にプログラムされたコンピュータにより実施されることができる。幾つかの手段を挙げた装置請求項においては、それらの手段の幾つかは、ハードウェアの同一のアイテムにより具現されることができる。特定の手段が互いに異なる従属請求項に挙げられていることのみにより、それらの手段の組み合わせが有利になるように使用されないことを示すものではない。
【図面の簡単な説明】
【００７０】
【図１】エレクトロクロミック表示装置及び駆動回路のブロック図である。
【図２】本発明に従ったエレクトロクロミック画素の構造を示す図である。
【図３】エレクトロクロミック表示装置の駆動スキームを理解するための３つの異なるエレクトロクロミック材料の挙動を示す図である。
【図４】本発明に従ったエレクトロクロミック画素の構造を示す図である。
【図５】アクティブマトリクス表示装置におけるエレクトロクロミック画素を駆動するための実施形態を示す図である。
【図６】アクティブマトリクス表示装置におけるエレクトロクロミック画素を駆動するための他の実施形態を示す図である。
【図１】
2005534078.tif 000003
【図２】
2005534078.tif 000004
【図３】
2005534078.tif 000005
【図４】
2005534078.tif 000006
【図２】
2005534078.tif 000007
【図３】
2005534078.tif 000008
【図４】
2005534078.tif 000009
【図５】
2005534078.tif 000010
【図６】
2005534078.tif 000011
【国際調査報告】
2005534078.tif 000012
2005534078.tif 000013
2005534078.tif 000014